(57)【特許請求の範囲】
【請求項１】
正面側に開口部を有する筐形の筐体と、
筐体の側部に軸支され、かつ、筐体の開口部を開閉自在に塞ぐ前扉と、
複数の図柄を変動表示及び停止表示可能に形成された図柄表示手段と、
前記図柄表示手段の図柄表示を制御するための制御装置と、を少なくとも有し、
前記前扉は、筐体の開口部の上部を開閉自在に塞ぐ上扉と、筐体の開口部の下部を開閉自在に塞ぐ下扉と、から構成され、
上扉及び下扉はそれぞれ、正面側に配置される扉正面板、及び、扉正面板の左右両側に配置される一対の扉側板を、少なくとも有する遊技機において、
下扉には、
反軸支側に位置する扉側板の内側に固定される固定板と、
当該固定板に取り付けられ、かつ、当該固定板から、上扉が位置する方向に付勢された閉塞板と、を少なくとも有する閉塞部材が備えられ、
上扉には、
前記閉塞板が圧接可能な圧接板が備えられ、
前記圧接板には、上扉を閉止した状態で開いている下扉を閉める方向に回転したときに閉塞板の上端面に最初に当接する位置付近に、この位置から後方に向かって下方に傾斜する圧接板側案内面が形成され、
上扉を閉止した状態で閉塞板の上端面が圧接板側案内面に当接したときに、さらに下扉を閉める方向に回転していくと、圧接板側案内面によって閉塞板が付勢力に抗して押し下げられ、
上扉及び下扉を閉止した際に、閉塞板の上端面が圧接板の下端面に圧接した状態となることにより、反軸支側において上扉の扉側板の下端と下扉の扉側板の上端との間に生じる隙間が閉塞板によって閉塞するように形成されたことを特徴とする遊技機。
【請求項２】
正面側に開口部を有する筐形の筐体と、
筐体の側部に軸支され、かつ、筐体の開口部を開閉自在に塞ぐ前扉と、
複数の図柄を変動表示及び停止表示可能に形成された図柄表示手段と、
前記図柄表示手段の図柄表示を制御するための制御装置と、を少なくとも有し、
前記前扉は、筐体の開口部の上部を開閉自在に塞ぐ上扉と、筐体の開口部の下部を開閉自在に塞ぐ下扉と、から構成され、
上扉及び下扉はそれぞれ、正面側に配置される扉正面板、及び、扉正面板の左右両側に配置される一対の扉側板を、少なくとも有する遊技機において、
下扉には、
反軸支側に位置する扉側板の内側に固定される固定板と、
当該固定板に取り付けられ、かつ、当該固定板から、上扉が位置する方向に付勢された閉塞板と、を少なくとも有する閉塞部材が備えられ、
上扉には、
前記閉塞板が圧接可能な圧接板が備えられ、
前記閉塞板には、上扉を閉止した状態で開いている下扉を閉める方向に回転したときに圧接板の下端面に最初に当接する位置付近に、この位置から後方に向かって下方に傾斜する閉塞板側案内面が形成され
上扉を閉止した状態で閉塞板側案内面が圧接板の下端面に当接したときに、さらに下扉を閉める方向に回転していくと、圧接板によって閉塞板が付勢力に抗して押し下げられ、
上扉及び下扉を閉止した際に、閉塞板の上端面が圧接板の下端面に圧接した状態となることにより、反軸支側において上扉の扉側板の下端と下扉の扉側板の上端との間に生じる隙間が閉塞板によって閉塞するように形成されたことを特徴とする遊技機。
【発明の詳細な説明】
【技術分野】
【０００１】
この発明は、遊技機に関し、さらに詳しくは、この遊技機の前扉として、上扉、及び、下扉を備えた遊技機に関するものである。
【背景技術】
【０００２】
従来、スロットマシン等の遊技機として、資源の有効利用、遊技機交換作業の簡易化及び経費削減等の観点から、遊技内容の変更に最低限必要な構成部品のみを交換し、筐体やその他の部品は交換せずにホールに残したままにしておく、いわゆる分離型遊技機が提供されている。
具体的には、このような分離型遊技機は、正面側に開口部を有する筐体を備える。そして、この筐体の開口部を開閉自在に塞ぎ、かつ、遊技機の正面構造を構成する前扉と、を有している。また、この前扉は、筐体の開口部の上部を開閉自在に塞ぐ上扉と、筐体の開口部の下部を開閉自在に塞ぐ下扉とに分割されている。また、上扉及び下扉は、筐体の側部のいずれか一方において軸支されて前後方向に開閉可能となっており、かつ、反軸支側の側部において、筐体等にロックされるものとなっている。
【０００３】
さらに、このような分離型遊技機は、前記筐体の内部空間の上部に着脱自在に収納できるように形成された分離体を有している。そして、この分離体には、遊技機の作動を制御するための制御装置等、遊技内容の変更に必要な構成部品が備えられている。
しかし、このような分離型遊技機における前扉は、上述のように、上扉と下扉とに分割されていることにより、この前扉の正面側における上扉と下扉とを分割した部分に、隙間が生じることとなっていた。この隙間は、前扉の右端から左端にかけての広範囲に渡って生じるものである。そのため、この前扉の正面側に生じた隙間からピアノ線やワイヤ等の異物を筐体の内部に挿入し、制御装置等の重要部品を不正に操作する、いわゆるゴト行為が行われるというおそれがあった。
【０００４】
そこで、分離型遊技機では、上扉における下扉側の端部に、下扉における上扉側の端部の裏面にまで達する隠し部を設けることにより、上扉と下扉との間の隙間から異物を挿入されにくくして、前述のようなゴト行為が行われることを防止している。
このような遊技機は、たとえば、下記の特許文献１に開示されている。
【特許文献１】特開２００３−０５２８９０号公報
【発明の開示】
【発明が解決しようとする課題】
【０００５】
しかし、前述のような、上扉と下扉との間の隙間は、前扉の正面側のみならず、前扉の側部においても生じるものである。
したがって、上扉及び下扉が筐体等にロックされる側の側部に生じた隙間からも、ピアノ線やワイヤ等の異物を筐体の内部に挿入するようなゴト行為が行われるというおそれが生じており、上述のような構造を有する遊技機では、いまだ、ゴト行為の防止は不十分であった。
なお、上扉及び下扉が筐体等にロックされる側の側部には、当該ロックを行うためのロック手段が備えられているため、確実なロックが行われた上で、ロック及びロックの解除や、上扉及び下扉の開閉に関する操作性や操作感を低下させることなく、効果的に、前述のようなゴト行為を防止する必要があった。
【０００６】
そこで、各発明は、上記した事情によりなされたものであり、その目的とするところは、次の点にある。
（第１の発明）
すなわち、第１の発明は、上記事情によりなされたものであり、上扉の側部と下扉の側部との間に生じる隙間から筐体内部へのピアノ線等の異物を挿入して、制御基板等を不正に操作するようなゴト行為を防止可能な遊技機を提供することを目的とする。
（第２又は第３の発明）
すなわち、第２又は第３の発明は、上記した第１の発明の目的に加え、操作性や操作感を低下させることなく、下扉を開閉することができるような遊技機を提供することを目的とする。
【０００７】
（第４の発明）
すなわち、第４の発明は、上記した第１、第２又は第３の発明の目的に加え、いわゆる面替え等の作業を容易なものとして、作業負担を軽減することができるような遊技機を提供することを目的とする。
【課題を解決するための手段】
【０００８】
第１ないし第４の発明は、上記した各目的を達成するためになされたものであり、各発明の特徴点を図面に示した発明の実施の形態を用いて、以下に説明する。
なお、符号は、発明の実施の形態において用いた符号を示し、本発明の技術的範囲を限定するものではない。
（第１の発明）
正面側に開口部11を有する筐形の筐体1と、筐体1の側部に軸支され、かつ、筐体1の開口部11を開閉自在に塞ぐ前扉3と、複数の図柄を変動表示及び停止表示可能に形成された図柄表示手段と、前記図柄表示手段の図柄表示を制御するための制御装置と、を少なくとも有し、前記前扉3は、筐体1の開口部11の上部を開閉自在に塞ぐ上扉30と、筐体1の開口部11の下部を開閉自在に塞ぐ下扉40と、から構成され、上扉30及び下扉40はそれぞれ、正面側に配置される扉正面板（上扉正面板30a、下扉正面板40a）、及び、扉正面板の左右両側に配置される一対の扉側板（上扉左側板30bと上扉右側板30c、下扉左側板40bと下扉右側板40c）を、少なくとも有する遊技機において、上扉30又は下扉40のいずれか一方には、反軸支側に位置する扉側板の内側に固定される固定板63と、当該固定板63に取り付けられ、かつ、当該固定板63から、上扉30又は下扉40のいずれか他方が位置する方向に付勢された閉塞板61と、を少なくとも有する閉塞部材60が備えられ、上扉30又は下扉40のいずれか他方には、前記閉塞板61によって圧接可能な圧接板39が備えられ、上扉30及び下扉40を閉止した際には、前記閉塞板61が、上扉30又は下扉40のいずれか他方に備えられた圧接板39に圧接した状態となることにより、上扉30の扉側板の下端と下扉40の扉側板の上端との間に生じる隙間を閉塞するように形成されたことを特徴とする。
【０００９】
ここで、遊技機としては、スロットマシン、パロット（登録商標）遊技機などが挙げられる。
また、ここで「正面」とは、遊技機から見た場合に、この遊技機に向き合って遊技を行う遊技者が位置している方向をいうものである。また、「後方」とは、前記「正面」と反対の方向をいう。
また、図柄表示手段は、表面に複数の図柄を表示した回転リール23や、液晶表示装置などが含まれる。
また、制御装置は、遊技や遊技に付随する演出を制御するための基板を備えることができる。基板としては、たとえば、遊技機の各装置の作動を制御することができる電子部品を搭載した基板である主基板が挙げられる。前記主基板は、ＲＯＭ、ＲＡＭ、ＣＰＵ等を有しており、主として、当選の抽選や、図柄表示手段における図柄変動表示及び停止表示など遊技を制御するものである。また、前記主基板のみを備えるのではなく、図柄表示手段などの作動以外を制御することができる基板として副基板を備えることも可能である。
【００１０】
また、基板は、不正防止等の観点から、密封可能なケースなどに収納するのが望ましい。
また、主基板及び副基板などを、ケースに収納して一体に構成することで、基板ユニット24を形成することもできる。このように、基板は、基板ユニット24として筐体1内に設けることもできる。
また、本発明に係る遊技機には、前述の図柄表示手段や制御装置等を搭載可能であって、筐体1の内部に着脱自在な分離体2を備えることもできる。
また、前扉3（上扉30及び下扉40）は、上述の如く、筐体1の側部に軸支され、かつ、筐体の開口部11を開閉自在に塞ぐものである。
【００１１】
ここで、「筐体1の側部に軸支され」とは、筐体1の側部に直接軸支されるだけでなく、筐体1に固定された部材等の側部に軸支されることで、筐体1の側部に間接的に軸支されることも含むものである。たとえば、筐体1の内部に前述の分離体2が固定されている場合には、前扉3は、この分離体2の側部に軸支されるものであってもよい。
また、前扉3は、筐体1の側部に軸支されるものであれば、筐体1の右側部に軸支されるものであってもよく、筐体1の左側部に軸支されるものであってもよい。
また、上扉30又は下扉40の反軸支側における側板にはそれぞれ、上扉30又は下扉40を閉めた際に、筐体1とロックされるロック手段を備えることができる。ここで、「反軸支側」とは、上扉30又は下扉40が軸支されている筐体1の側部と対向する方向を意味するものである。なお、このロック手段は、筐体1自体と直接ロックされるものでもよく、分離体2等の、筐体1に固定された部材等とロックされることで、筐体1と間接的にロックされるものであってもよい。
【００１２】
また、閉塞部材60は、上述の如く、上扉30又は下扉40のいずれか一方の、反軸支側に位置する扉側板の内側に固定される固定板63と、この固定板63から、上扉30又は下扉40のいずれか他方が位置する方向に付勢された閉塞板61と、を少なくとも有しているものである。
また、圧接板39は、上述の如く、上扉30又は下扉40のいずれか他方に備えられ、前記閉塞板61によって圧接可能なものである。
具体的には、上扉30及び下扉40が、これらの左側部で筐体1に軸支されているときは、上扉30及び下扉40の右側部に、閉塞部材60（固定板63、閉塞板61）及び圧接板39が備えられることとなる。また、上扉30及び下扉40が、これらの右側部で筐体1に軸支されているときは、上扉30及び下扉40の左側部に、閉塞部材60（固定板63、閉塞板61）及び圧接板39が備えられることとなる。
【００１３】
また、上扉30に閉塞部材60（固定板63、閉塞板61）が備えられている場合は、下扉40に圧接板39が備えられることとなる。そして、上扉30に備えられている閉塞部材60の閉塞板61は、下扉40が位置する方向、すなわち下方向に付勢されている。
また、下扉40に閉塞部材60（固定板63、閉塞板61）が備えられている場合は、上扉30に圧接板39が備えられることとなる。そして、下扉40に備えられている閉塞部材60の閉塞板61は、上扉30が位置する方向、すなわち上方向に付勢されている。
また、前記固定板63は、閉塞板61を取り付けることができれば、その形状等については特に限定されるものではなく、たとえば、長方形状の平板等とすることができる。また、固定板63は、扉側板と一体となるように形成することもできるし、また、扉側板とは別体となるように形成することもできる。
【００１４】
また、圧接板39は、閉塞板61が圧接可能となるように設けられているものである。具体的には、閉塞板61が、固定板63を介して、上扉30又は下扉40のいずれか一方の扉側板の内側に備えられるため、圧接板39も、上扉30又は下扉40のいずれか他方の扉側板付近に備えられることとなる。また、圧接板39も、閉塞板61が圧接することができれば、扉側板と一体となるように形成することもできるし、また、扉側板とは別体となるように形成することもできる。
また、閉塞板61は、上扉30及び下扉40を閉止した際に、前記圧接板39に圧接した状態となることにより、上扉30の扉側板の下端と下扉40の扉側板の上端との間に生じる隙間を閉塞するものである。したがって、閉塞板61及び圧接板39の圧接面は、閉塞板61が圧接板39に圧接している状態において、互いに密着するような面形状とするのが望ましい。
【００１５】
（作用）
本発明によれば、上扉30又は下扉40のいずれか一方には、反軸支側に位置する扉側板に閉塞部材60が備えられ、上扉30又は下扉40のいずれか他方には、前記閉塞部材60に設けられた閉塞板61が圧接可能な圧接板39が備えられる。そして、上扉30及び下扉40を閉止した際には、閉塞板61が圧接板39に圧接した状態となる。
これにより、閉塞板61は、上扉30の扉側板の下端と下扉40の扉側板の上端との間に生じる隙間を閉塞することとなるため、前記隙間から、ピアノ線等の異物を挿入して、筐体1内部に収納されている制御基板等を不正に操作するようなゴト行為を防止することができる。
【００１６】
（第２の発明）
第２の発明は、上記第１の発明の特徴に加え、前記下扉40は、前記上扉30を閉止しなければ閉止不能であるように形成されるとともに、前記上扉30は、前記下扉40を開放しなければ開放不能であるように形成され、前記圧接板39には、下扉40を閉止するときに閉塞板61が最初に当接する位置付近に、この位置から後方に向かって下方に傾斜する圧接板側案内面38が形成されていることを特徴とする。
ここで、「下扉40は、前記上扉30を閉止しなければ閉止不能である」とは、上扉30、下扉40という順番で閉止していかなければ、両扉を閉めることができないことを意味する。すなわち、下扉40を閉止してから上扉30を閉止するということはできないことを意味する。
【００１７】
また、同様に、「上扉30は、前記下扉40を開放しなければ開放不能である」とは、下扉40、上扉30という順番で開放していかなければ、両扉を開放することができないことを意味する。すなわち、上扉30を開放してから下扉40を開放するということはできないことを意味する。
また、圧接板側案内面38は、下扉40を閉止するときに閉塞板61が最初に当接する圧接板39の位置付近に形成されている。
具体的には、閉塞板61（閉塞部材60）が下扉40の扉側板に設けられている場合、すなわち、圧接板39が上扉30の扉側板に設けられている場合、圧接板側案内面38は圧接板39の後端付近に形成されることとなる。また、閉塞板61（閉塞部材60）が上扉30の扉側板に設けられている場合、すなわち、圧接板39が下扉40の扉側板に設けられている場合、圧接板側案内面38は圧接板39の先端付近に形成されることとなる。
【００１８】
また、圧接板側案内面38は、下方に傾斜していれば、平面とすることもできるし、曲面とすることもできる。
なお、本発明は、上述の如く、上扉30及び下扉40を閉止した際に、閉塞板61が圧接板39に圧接することにより、上扉30の扉側板の下端と下扉40の扉側板の上端との間に生じる隙間を閉塞するものである。したがって、この圧接板側案内面38を形成することで、閉塞板61と圧接板39との間に、ワイヤー等を挿入可能な隙間ができてしまわないようにすることが望ましい。たとえば、圧接板側案内面38を形成することによって生じる隙間に嵌まる形状の突片70等を、閉塞板61に設けることができる。
【００１９】
（作用）
本発明によれば、閉塞板61が圧接板39の圧接板側案内面38に当接した状態で、下扉40が閉止していくこととなる。すなわち、圧接板側案内面38が閉塞板61を押しながら、下扉40が閉止していく。これにより、下扉40を閉止すると、自動的に、閉塞板61が圧接板39に圧接することとなる。
したがって、下扉40の閉止をスムーズに行うことができるため、操作性や操作感を低下させることなく、下扉40の開閉を行うことができることとなる。
（第３の発明）
第３の発明は、上記第１の発明の特徴に加え、前記下扉40は、前記上扉30を閉止しなければ閉止不能であるように形成されるとともに、前記上扉30は、前記下扉40を開放しなければ開放不能であるように形成され、前記閉塞板61には、下扉40を閉止するときに圧接板39が最初に当接する位置付近に、この位置から後方に向かって下方に傾斜する閉塞板側案内面68が形成されていることを特徴とする。
【００２０】
閉塞板側案内面68は、下扉40を閉止するときに圧接板39が最初に当接する閉塞板61の位置付近に形成されている。
具体的には、閉塞板61（閉塞部材60）が下扉40の扉側板に設けられている場合（すなわち、圧接板39が上扉30の扉側板に設けられている場合）、閉塞板側案内面68は閉塞板61の後端付近に形成されることとなる。また、閉塞板61（閉塞部材60）が上扉30の扉側板に設けられている場合（すなわち、圧接板39が下扉40の扉側板に設けられている場合）、閉塞板側案内面68は閉塞板61の先端付近に形成されることとなる。
また、閉塞板側案内面68は、下方に傾斜していれば、平面とすることもできるし、曲面とすることもできる。
【００２１】
なお、本発明は、上述の如く、上扉30及び下扉40を閉止した際に、閉塞板61が圧接板39に圧接することにより、上扉30の扉側板の下端と下扉40の扉側板の上端との間に生じる隙間を閉塞するものである。したがって、この閉塞板側案内面68を形成することで、閉塞板61と圧接板39との間に、ワイヤー等を挿入可能な隙間ができてしまわないようにすることが望ましい。たとえば、閉塞板側案内面68を形成することによって生じる隙間に嵌まる形状の突片70等を、圧接板39に設けることができる。
（作用）
本発明によれば、圧接板39が閉塞板61の閉塞板側案内面68に当接した状態で、下扉40が閉止していくこととなる。すなわち、閉塞板側案内面68が圧接板39によって押されながら、下扉40が閉止していく。これにより、下扉40を閉止すると、自動的に、閉塞板61が圧接板39に圧接することとなる。
【００２２】
したがって、下扉40の閉止をスムーズに行うことができるため、操作性や操作感を低下させることなく、下扉40の開閉を行うことができることとなる。
（第４の発明）
第４の発明は、上記第１、第２又は第３の発明の特徴に加え、前記遊技機は、前記図柄表示手段及び前記制御装置を少なくとも搭載可能であり、かつ、前記筐体1の開口部11の上部内部に着脱自在な分離体2、を有し、上扉30を閉止した際に、当該上扉30と分離体2とが施錠されるように形成されたことを特徴とする。
分離体2は、たとえば直方体状の金属枠などからなる支持体21に、図柄表示手段や基板ユニット24等の遊技機の装置等を備えたものであり、筐体1内部の上部に着脱自在となっている。この支持体21は、金属枠のような枠状の構造体として形成するのみならず、側板や天板などを備えた箱状の構造体として形成することもできる。また、この支持体21の内部には、複数の仕切り等を設けて、制御装置等を配置しやすくしても良いものである。
【００２３】
また、分離体2は筐体1内部の上部に着脱自在であれば、その着脱手段は、特に限定されるものではない。たとえば、筐体1の内部空間に分離体2を載置可能とする載置手段を設け、この載置手段により、分離体2を筐体1に着脱自在とすることができる。この載置手段としては、たとえば、筐体1の内部に横方向に渡されて、この筐体1の内部空間を上下二つの空間に仕切るような板状の中板12が挙げられる。また、分離体2を筐体1に吊り下げ可能とし、かつ、筐体1内部を前後方向に移動可能とする吊り下げ手段を設け、分離体2を筐体1に吊り下げることで、分離体2を筐体1に着脱自在とすることもできる。
また、上扉30に係合部（上扉係合部36）を設け、支持体21には、前記上扉係合部36と回転自在に係合する係合部（上部係合部25）を設け、分離体2を筐体1に固定した状態で、筐体1の開口上部13を上扉30で閉塞可能に形成してもよいものである。
【００２４】
（作用）
本発明によれば、上扉30を閉止した際に、この上扉30と分離体2とが施錠されるように形成されており、上扉30を閉めたまま分離体2を着脱することが可能となるため、いわゆる面替え等の作業を効果的に行うことができることとなる。
【発明の効果】
【００２５】
本発明は、以上のように構成されているので、以下に記載されるような効果を奏する。
（第１の発明）
すなわち、第１の発明は、上扉の側部と下扉の側部との間に生じるから筐体内部へのピアノ線等の異物を挿入して、制御基板等を不正に操作するようなゴト行為を防止可能な遊技機を提供することができる。
（第２又は第３の発明）
すなわち、第２又は第３の発明は、上記した第１の発明の効果に加え、操作性や操作感を低下させることなく、下扉を開閉することができるような遊技機を提供することができる。
【００２６】
（第４の発明）
すなわち、第４の発明は、上記した第１、第２又は第３の発明の効果に加え、いわゆる面替え等の作業を容易なものとして、作業負担を軽減することができるような遊技機を提供することができる。
【発明を実施するための最良の形態】
【００２７】
以下、本発明の実施の形態を図面を参照しつつ説明する。
（図面の説明）
図１から図５までは、本発明の実施の形態を示すものである。
図１は、スロットマシンＳを分解した状態を示す斜視図である。図２は、スロットマシンＳの前扉3の開放状態、及び、上扉30並びに下扉40を示す斜視図である。図３は、閉塞部材60を示す背面斜視図（ａ）及び正面斜視図（ｂ）である。図４は、下扉40の閉止前における、上扉右側板30c及び下扉右側板40cの側面図（ａ）、下扉40の閉止中における、上扉右側板30c及び下扉右側板40cの側面図（ｂ）、及び、下扉40を閉止した状態における、上扉右側板30c及び下扉右側板40cの側面図（ｃ）である。図５は、下扉40の閉止前における、閉塞部材60を示す正面断面図（ａ）、及び、下扉40を閉止した状態における、閉塞部材60を示す正面断面図（ｂ）である。
【００２８】
また、図６は、本発明の実施の形態の変形例を示すものであって、下扉40の閉止前における、上扉右側板30c及び下扉右側板40cの側面図である。
（スロットマシンＳ）
本実施の形態における遊技機は、分離型のスロットマシンＳである。
この分離型のスロットマシンＳは、図１に示すように、正面側に開口部11を有し、かつ、内部空間を上下方向に仕切る水平状の中板12を有する筐体1と、筐体1内部で中板12に着脱自在に設けられる分離体2と、筐体1の開口部11を開閉可能に塞ぐ前扉3とから構成されており、さらに、この前扉3は、筐体1の、中板12上部である開口上部13を開閉可能に塞ぐ上扉30と、筐体1の、中板12下部である開口下部14を開閉可能に塞ぐ下扉40とから構成されている。
【００２９】
また、ここで「正面」とは、遊技機から見た場合に、この遊技機に向き合って遊技を行う遊技者が位置している方向をいうものである。また、「後方」とは、前記「正面」と反対の方向をいう。
（筐体1）
筐体1は、図１に示すように、底板15、右側板16a、左側板16b、天板17、及び、背板18から構成される正面側に開口する箱体である。そして、筐体1内部の、高さ方向略中央部には、二つの側板16の間に水平方向に中板12が設けられている。
そして、この中板12の下面には、電源ユニット4が設けられている。電源ユニット4には、特に図示していないが、電源装置が内装されているとともに、遊技における各種当選役の抽選確率を変更するための設定変更部が設けられている。設定変更部には、特に図示していないが、設定変更用のキーを挿入するための鍵穴や、設定を切り替える設定変更ボタン等の設定変更操作部が備えられている。
【００３０】
なお、電源ユニット4の設置場所は、中板12の下面に限られるものではなく、電源ユニット4は、たとえば、底板15上面の左部に設置することもできる。
また、筐体1内部における底板15の略中央部には、遊技者にスロットマシンＳの遊技を行うための遊技メダルを払い出すホッパーユニット5が設けられている。このホッパーユニット5は、上方に向けて開口しており、かつ、遊技メダルを貯留可能に形成されている。また、筐体1内部における底板15の右部には、上方に開口した箱状に形成されたオーバーフロータンク8が、前記ホッパーユニット5に近接して、設けられる。
また、特に図示しないが、筐体1の内部には、集中端子板を取り付けることもできる。集中端子板とは、総メダル投入枚数、総メダル払い出し枚数、総回転数、大当たり抽選回数などの遊技に関するデータを、ホールコンピュータ等との間で送受信する装置である。この集中端子板は、ホールコンピュータとのネットワーク接続ができるのであれば、たとえば筐体1の右側板16a又は左側板16bに備えても良く、中板12の下面に備えても良い。
【００３１】
前述の、電源ユニット4、ホッパーユニット5などは、遊技性に影響を与える部品ではないことから、分離体2の交換に際し、必ずしも交換する必要のないものであり、交換時には設置されたままにしておけるようになっている。
また、図１及び図２に示すように、前記左側板16bには、前記下扉40を係合させ、回転自在に支持するための下部係合部19が、上下方向に間隔を置いて二つ設けられている。
また、図１及び図２に示すように、前記右側板16a、すなわち、前記下部係合部19の対向側には、後述する下扉ロック手段7と係止することで、下扉40をロックするための下部突出片27が、上下方向に間隔を置いて二つ設けられている。
【００３２】
（分離体2）
分離体2は、図１に示すように、種々の部品を設置あるいは固定するための支持体21と、この支持体21に固定されたリールユニット20、及び、スロットマシンＳに関する種々の制御を行う基板を収納する基板ユニット24から形成されている。
ここで、リールユニット20は、複数の駆動モータを有し、各駆動モータの回転軸には、各々、表面に複数の図柄が表示された回転リール23が固定されている。また、前記基板ユニット24には、遊技及びスロットマシンＳの作動を制御するための主基板と、各種演出を行うための副基板が含まれている。
【００３３】
前記支持体21は、図１に示すように枠体構造となっている。また、この支持体21の左側には、前記上扉30を係合させ、回転自在となるように支持するための上部係合部25が上下方向に間隔を置いて二つ設けられている。
また、図１及び図２に示すように、この支持体21の右側、すなわち、上部係合部25の対向側には、後述する上扉ロック手段6と係止することで、上扉30をロックするための上部突出片26が設けられている。
分離体2は、筐体1の中板12の上に載置され、開口上部13内部に収納されるものである。その後、分離体2は、固定装置10により筐体1に固着される。
【００３４】
なお、分離体2は、筐体1の天板17に吊り下げられるような形で支持される構造に形成することで、中板12の上方に収納するようにしてもよい。
なお、筐体1と分離体2との電気的接続は下記のように行うことができる。
具体的には、筐体1の背板18に、電気的接続のための筐体コネクタを設ける。さらに、分離体2の背面に、分離体2を筐体1の開口上部13に押し込んだときに前記筐体コネクタと電気的に接続するための分離体コネクタを設ける。このように形成することで、分離体2を筐体1の開口上部13に収納した際には、筐体コネクタと分離体コネクタとが接続されて、筐体1と分離体2との電気的接続を行うことができる。なお、筐体1と分離体2との電気的接続は、上述のような態様によるものに限られるわけではない。
【００３５】
（前扉3）
前扉3は、上述の如く、筐体1の開口部11を開閉可能に塞ぐものであり、この前扉3は、筐体1の、中板12上部である開口上部13を開閉可能に塞ぐ上扉30と、筐体1の、中板12下部である開口下部14を開閉可能に塞ぐ下扉40とから構成されている。
ここで、本実施の形態に係るスロットマシンＳにおいて、前扉3を閉めるときは、上扉30を閉めた後でなければ下扉40を閉めることができないように形成されている。また、前扉3を開放するときは、下扉40のロックを解除して下扉40を開放した後でなければ、上扉30を開放することができないように形成されている。
【００３６】
なお、上扉30及び下扉40は、閉止することにより、それぞれ自動的にロックされるように形成されている。
（上扉30）
上扉30は、分離体2の支持体21の左側に回転自在に支持され、かつ、支持体21の右側で係止可能に形成されている板状の扉であり、図１に示すように、略中央部に前記回転リール23の図柄を正面側から見ることができる図柄表示窓31を有し、周囲に飾り部33を設けてある。そして、図柄表示窓31の下方には、種々の表示を行うための表示部32が設けられているものである（図１参照）。
【００３７】
具体的には、この上扉30は、正面側に配置される扉正面板としての上扉正面板30a、この上扉正面板30aを挟んで左右両側に配置される扉側板としての上扉左側板30b及び上扉右側板30c、並びに、頂部に配置される上扉天板30dを有している。
ここで、前記飾り部33は、ランプ等により形成しても良く、入賞の報知その他の演出時にランプが点滅するようにしてもよい。また、前記表示部32は、７セグメントＬＥＤ等により数字を表示するものや、特に図示しないが、画像を表示するための液晶画面あるいはＣＲＴなどとしてもよい。
さらに、上扉30の裏側左部には、図２に示すように、前記上部係合部25に係合可能な上扉係合部36が上下方向に間隔をおいて二つ設けられている。また、上扉係合部36の対向側、すなわち、上扉右側板の内側には、分離体2の右側に設けられた前記上部突出片26と係止して、上扉30と分離体2とをロックするための上扉ロック手段6が設けられている。
【００３８】
すなわち、上扉ロック手段6は、上扉30を閉めることにより、この上扉ロック手段6に設けられた上扉係止片37が、分離体2の右側に設けられた上部突出片26に係止されて、上扉30と分離体2とが自動的にロックされるように形成されている。そして、上扉ロック手段6の下端を下に引き下げると、前記ロックが解除されるように形成されている。
また、上扉30の裏側上部の左右には、種々の音声を出力するためのスピーカ35が設けられている。
以上のように構成された上扉30は、前記分離体2を筐体1に固着した状態で扉を閉めて、後述する上扉ロック手段6の上扉係止片37と上部突出片26とを係止することにより、筐体1の開口上部13を密閉することができるものである。
【００３９】
また、上扉30の上扉右側板30cの下端部には、図５に示すように、この上扉右側板30cの先端から後端まで至る長方形状平板である圧接板39が設けられている。そして、この圧接板39の下端面は、後述する閉塞部材60の閉塞板61の上端面によって圧接されることとなっている。
また、この圧接板39の先端部には、図２及び図４に示すように、後方に向けて下方に傾斜する圧接板案内面38が形成されている。この圧接板案内面38は、後述の、下扉40の下扉右側板40cの上部に固定された閉塞部材60の閉塞板61を押し下げて、下方に移動させるものである。
【００４０】
具体的には、上扉30を閉止した後、下扉40を閉止していくと、前記閉塞部材60の閉止板61における上端面の後端が、前述の圧接板案内面38に当接する。そして、この状態からさらに下扉40を閉めていくと、前記閉塞部材60の閉塞板61が圧接板案内面38によって押し下げられることとなる。そして、前記閉塞部材60の閉塞板61における上端面が圧接板案内面38の下端に到達するまで、閉塞板61は押し下げられて、閉塞部材60の閉塞板61における上端面が上扉右側板30cの下端面に圧接することとなる。そして、この状態のまま、下扉40は閉止する（図４参照）。
これにより、上扉30及び下扉40を閉止した際に、上扉30の上扉右側板30cの下端面と下扉40の下扉右側板40cとの間に生じる隙間が、前記閉塞部材60の閉塞板61によって閉塞されることとなる。
【００４１】
（下扉40）
下扉40は、筐体1の開口下部14を塞ぐための扉であり、筐体1の左側板16bに回転自在かつロック可能に形成されているものである。
具体的には、この下扉40は、正面側に配置される扉正面板としての下扉正面板40a、この下扉正面板40aを挟んで左右両側に配置される扉側板としての下扉左側板40b及び下扉右側板40c、頂部に配置される下扉天板40d、並びに、底部に配置される下扉底板40eを有している。
下扉40の下扉天板40dの手前側は、図１に示すように、スロットマシンＳを作動させるための操作部41となっており、下扉40の下扉天板40dの上面手前側は、閉止時においては、上扉30よりも前側に突出するようになっている。また、下扉40の下部には払い出されたメダルを溜めておくためのメダル受け皿43が形成されており、前記操作部41とメダル受け皿43との間には、遊技内容その他の表示をするための表示パネルが取り付けられている（図１参照）。また、前記表示パネルの下部には、ホッパーユニット5からメダル受け皿43へ、遊技メダルを払い出すためのメダル払い出し口48が設けられている。
【００４２】
前記操作部41としては、図１に示すように、下扉40の下扉天板40dの上面手前側右端にはメダル投入口42及び下扉天板40dの手前側左部に設けられたベットスイッチ、下扉40の正面略中央部にはスタートスイッチ、ストップスイッチ、及び、鍵穴44が設けられている。
なお、ベットスイッチとは、貯留メダルをメダル投入に代えるためのものであり、スタートスイッチ及びストップスイッチは、回転リール23の回転を開始及び停止させるためのものである。また、鍵穴44は、下扉40の施錠を解除する際に所定の鍵を挿入可能に形成されている。
【００４３】
さらに、図２に示すように、下扉40の下扉正面板40aの裏側には、前記メダル投入口42から投入されたメダルを誘導しながらメダルの正偽を判断するためのメダルセレクター45が設けられている。
また、図２に示すように、下扉40の裏側左部には、前記下部係合部19と係合可能な下扉係合部46が上下方向に間隔をおいて二つ設けられており、下扉係合部46の対向側、すなわち、下扉右側板の内側には、筐体1の右側に設けられた前記下部突出片27と係止し、下扉40をロックするための下扉ロック手段7が設けられている。
また、図２に示すように、下扉右側板40cの内側上部には、上扉30及び下扉40を閉止した際に、上扉30の右側部と下扉40の右側部との間、すなわち、上扉30の上扉右側板30cの下端面と、下扉40の下扉右側板40cの上端面との間に生じる隙間を塞ぐための部材である閉塞部材60が設けられている。
【００４４】
なお、下扉40は、面替えの際には、パネルユニットを新機種に対応したものに交換して、本体は筐体１に据え置かれたままにされるものである。
（上扉ロック手段6、及び、下扉ロック手段7）
上扉ロック手段6、及び、下扉ロック手段7の構造は、基本的には同じであり、上扉ロック手段6は、下扉40を開放した後、上扉ロック手段6の下端を下に引っ張って解錠するようになっているが、下扉ロック手段7は、鍵穴44に所定の鍵を差し込んで解錠するようになっている点が異なるものである。換言すれば、上扉ロック手段6は、外側から解錠することができず、下扉40が開放しているときにのみロック解除可能となっているものであるが、下扉ロック手段7は、外側からの解錠が可能となっているものである。ここでは、下扉ロック手段7を例に、構造を説明する。
【００４５】
下扉ロック手段7は、具体的には、バネ（図示しておらず）により常時上方向に付勢され、下扉40における下扉右側板40cの内側に上下方向に摺動可能に取り付けられた可動板（図示しておらず）と、この可動板から、下扉40の背面側に突出し、上側又は下側に斜辺を有する鉤状の下扉係止片47と、を備えている。そして、この下扉係止片47を、筐体1の右側板16aに設けられた下部突出片27に係止させることにより、下扉40をロックするものである。すなわち、下扉40を閉めると、下扉係止片47の斜辺が下部突出片27に当接して可動板が下方に押し下げられた後、バネの力で元の位置に復帰して自動的に下扉係止片47が下部突出片27に係止されるようになっている。
【００４６】
また、下扉ロック手段7には、鍵穴44の奥側に解錠手段としてのシリンダー錠（図示しておらず）が設けられており、シリンダー錠の背面部には、鍵の回転により回転する回転板（図示しておらず）が設けられている。そして、鍵穴44に所定の鍵を差し込んで回すことにより、回転板が回転して可動板を下方に押し下げ、下扉係止片47と下部突出片27との係合が解除されて、下扉40を開放することができることとなる。
（閉塞部材60）
ここで、閉塞部材60について説明する。
閉塞部材60は、上述の如く、下扉40の下扉右側板40cに設けられた部材であって、上扉30及び下扉40を閉止した際に、上扉30の右側部下端と下扉40の右側部上端との間に生じる間隙、すなわち、上扉30の上扉右側板30cの下端面と、下扉40の下扉右側板40cの下端面との間に生じる間隙を塞ぐためのものである。
【００４７】
閉塞部材60は、具体的には、図３に示すように、下扉右側板40cの内側上部に固定された長方形状の固定板63と、この固定板63における、下扉右側板40cとの固定面と対向する面にネジ止めすることで固定された長方形状の連結板62と、前記固定板63の鉛直上方であって、下扉右側板40c及び連結板62の間に挟まれるように配置され、かつ、ネジ止めすることで前記連結板62に対して上下方向に摺動可能に取り付けられた長方形状の閉塞板61と、を有している。
固定板63は、閉塞部材60の基部を構成するものであり、この閉塞部材60を下扉右側板40cに固定するためのものである。また、閉塞板61は、上扉30及び下扉40を閉塞した際に、上扉右側板30cの下端面と下扉右側板40cの上端面との間に生じる間隙を閉塞するためのものである。また、連結板62は、固定板63と閉塞板61とを連結する部材であり、閉塞板61を支持し、かつ、閉塞板61を上下動可能とするためのものである。
【００４８】
具体的には、連結板62は、固定ネジ64によってネジ止めすることで、固定板63に固定されている。
また、連結板62には、上下方向が長手方向となる楕円形孔である移動案内孔65が二つ形成されている。そして、閉塞板61は、この移動案内孔65を介して固定ネジ64によってネジ止めすることで、連結板62に取り付けられている。
ここで、前記固定ネジ64は、移動案内孔65内を上下に移動可能となっているため、この固定ネジ64によって連結板62に取り付けられている閉塞板61は、この移動案内孔65を介して、上下方向に摺動可能となる。
【００４９】
なお、固定板63と閉塞板61との間、すなわち、固定板63の上端面と閉塞板61の下端面との間には、上方向に付勢されたバネ66が複数取り付けられ、このバネ66が閉塞板61を常に上方向に押し上げるように働いている。したがって、平常時においては、図３及び図５（ａ）に示すように、固定ネジ64が移動案内孔65の上端に達するまで、閉塞板61がバネ66によって押し上げられ、この状態で、閉塞板61は保持されている。そして、この状態から閉塞板61の上端面に対して下向きの力を加えると、固定ネジ64が移動案内孔65の下端に当接するまで、閉塞板61を押し下げることができる（図５（ｂ）参照）。そして、閉塞板61を押し下げた状態から、この閉塞板61の上端面に対して加えた下向きの力を解放すると、バネ66の上方向への付勢力により、固定ネジ64が移動案内孔65の上端に当接するまで、閉塞板61が押し上がる。
【００５０】
なお、後述する如く、上扉30を閉止した後下扉40を閉めていくと、閉塞板61の上端面の後端が、上述の圧接板39に形成された圧接板案内面38に当接する。
すなわち、平常時（上端面に下向きの力を加えていない状態）における前記閉塞板61は、当該閉塞板61の上端面の後端が圧接板案内面38に当接可能となる高さに、位置していることとなる。換言すれば、平常時における閉塞板61は、圧接板案内面38の下端の高さ位置から圧接板案内面38の上端の高さ位置までの範囲内に、位置していることとなる。
そして、閉塞板61の上端面の後端が圧接板案内面38に当接した状態から、さらに下扉40を閉めていくと、前記圧接板案内面38によって閉塞板61の上端面に下向きの力が加えられ、閉塞板61が押し下げられることとなる。そして、閉塞板61の上端面が圧接板案内面38の下端に到達するまで、閉塞板61は押し下げられた後、閉塞板61の上端面が圧接板39の下端面に圧接することとなる。そして、この状態のまま、下扉40は閉止することとなる。
【００５１】
したがって、下扉40を閉める際には、閉塞板61は、最大で圧接板案内面38の上端から下端まで移動することとなるため、この閉塞板61の高さ方向の移動距離は、圧接板案内面38の上端から下端までの高さ方向の距離以下となっている。
なお、閉塞板61の上端面の先端側には、上方向に突出した突片70が形成されている。この突片70は、閉塞板61の上端面が圧接板39の下端面に圧接した状態において、前記圧接板案内面38の下方に生じる隙間に嵌まるものとなっている（図４（ｃ）参照）。
（上扉30及び下扉40の開閉）
以上のような構成を有する上扉30及び下扉40の開閉について、下扉40の下扉右側板40cに設けられた閉塞部材60の動きと併せて、説明する。
【００５２】
上扉30及び下扉40が開放している状態から前扉（上扉30及び下扉40）を閉めるときは、上述の如く、上扉30から閉めていく。そして、上扉30を閉めると、上扉30と分離体2とが自動的にロックされる。
具体的には、上扉30を閉めていくと、この上扉30に設けられた上扉ロック手段6の上扉係止片37が、分離体2の右側部に設けられた上部突出片26に自動的に係止され、これにより、上扉30がロックされる。
なお、下扉40を閉める前の状態においては、下扉右側板40cに設けられた閉塞部材60の閉塞板61はバネ66によって押し上げられており、閉塞板61に止められている固定ネジ64が、連結板62に形成されている移動案内孔65の上端に達した状態で、閉塞板61は保持されている。
【００５３】
そして、上扉30が閉止された後に、下扉40を閉めていくことができる。下扉40を閉める方向に押すと、閉塞部材60の閉塞板61における上端面の後端が、圧接板39に形成された圧接板案内面38に当接する。
そして、さらに下扉40を閉める方向に押すと、圧接板案内面38によって閉塞板61の上端面に対して下向きの力が加えられる。そして、閉塞板61の上端面が圧接板案内面38の下端に達するまで、閉塞板61が押し下げられた後、閉塞板61の上端面が圧接板39の下端面を圧接することとなる（図４（ｂ）参照）。
そして、さらに下扉40を閉める方向に押すと、閉塞板61の上端面が圧接板39の下端面に圧接した状態のまま、下扉40は前記方向に移動して、最終的に下扉40は閉止される。また、下扉40が閉止されると、閉塞板61の上端面の先端側に形成された突片70が、前記圧接板案内面38の下方に生じる隙間に嵌まることとなる（図４（ｃ）参照）。
【００５４】
なお、下扉40を閉めると、上扉30の場合と同様に、下扉40に設けられた下扉ロック手段7の下扉係止片47が、筐体1の右側板16aに設けられた下部突出片27に自動的に係止され、これにより、下扉40がロックされる。
このように、上扉30及び下扉40を閉止した際には、下扉右側板40cに設けられた閉塞部材60の閉塞板61の上端面が、上扉右側板30cに設けられた圧接板39の下端面に圧接しているため、この閉塞板61によって、上扉右側板30cの下端面と、下扉右側板40cの上端面との間に生じた隙間が閉塞されることとなる。これにより、前記隙間から、ピアノ線等の異物を挿入して、制御基板等を不正に操作するようなゴト行為を防止することができる。
【００５５】
そして、前述の状態から上扉30及び下扉40を開放するには、上述の手順と逆の手順を行えばよい。
すなわち、まず、下扉40の鍵穴44に所定の鍵を挿入して、所定の解錠方向（たとえば、右回り）に回転させる。すると、上述の如く、下扉係止片47と下部突出片27との係合が解除され、下扉40を開放することができることとなる。
そして、下扉40の右端を前側に引いていく（下扉40を開放する方向に引いていく）と、前記閉塞板61の上端面が、圧接板39の下端面に圧接した状態で、下扉40が前記方向に移動していく。そして、閉塞板61の上端面の後端が、前記圧接板案内面38の下端に到達する。
【００５６】
そして、さらに下扉40の右端を前側に引いていくと、閉塞板61の下端に取り付けられているバネ66の上方向への付勢力によって、閉塞板61に対して押し上げる力が加えられ、閉塞板61が、前記圧接板案内面38にガイドされて、自動的に上方向へ移動していくこととなる。
そして、閉塞板61の上端面の後端が圧接板案内面38から離れると、この圧接板案内面38によって閉塞板61の上端面に加えられていた押し下げ力が解放されて、閉塞板61は、固定ネジ64が、連結板62に形成されている移動案内孔65の上端に達した状態、すなわち、元の位置に戻ることとなる。
【００５７】
そして、下扉40を開放した後、上扉30に設けられた上扉ロック手段6の下端を下に引っ張ると、上扉係止片37と上部突出片26との係合が解除され、上扉30を開放することができることとなる。すなわち、この状態で、上扉30の右端を手前側に引けば、上扉30は開放される。
（総括）
上述の如く、本発明の実施の形態に係るスロットマシンＳでは、下扉40の下扉右側板40cの内側には、閉塞部材60が設けられており、上扉30及び下扉40を閉止した際には、前記閉塞部材60の閉塞板61の上端面が、上扉右側板30cに設けられた圧接板39の下端面に圧接することとなる。
【００５８】
これにより、上扉30及び下扉40を閉止した際に、上扉右側板30cの下端面と下扉右側板40cの上端面との間に生じる隙間が、前記閉塞板61によって閉塞されることとなるため、前記隙間から、ピアノ線等の異物を挿入して、筐体1内部に収納されている制御基板等を不正に操作するようなゴト行為が行われるのを防止することができる。
また、上述の如く、圧接板39の先端部には、後方に向けて下方に傾斜する圧接板案内面38が形成されている。そして、上扉30を閉止した後、下扉40を閉めていくと、閉塞板61の上端面の後端が前記圧接板案内面38に当接し、閉塞板61が前記圧接板案内面38によって押し下げられて、下方に移動していくこととなる。
【００５９】
これにより、下扉40を閉めていくだけで、閉塞板61が自動的に押し下げられて、この閉塞板61の上端面が、圧接板39の下端面に圧接することとなるため、下扉40の閉止をスムーズに行うことができることとなり、操作性や操作感を低下させることなく、下扉40の開閉を行うことができることとなる。
なお、本発明は、スロットマシン以外の遊技機にも応用できる。たとえば、遊技媒体として遊技球を用いてスロットマシンと同様の遊技を行わせるパロット（登録商標）遊技機に使用してもよいものである。
（変形例）
上述の実施の形態に係るスロットマシンＳでは、上扉30の上扉右側板30cに圧接板39が設けられ、この圧接板39の先端部に圧接板案内面38が形成されているが、このような案内面は、図６に示すように、圧接板39の先端部ではなく、閉塞板61の後端部に形成することもできる。
【００６０】
具体的には、閉塞板61の上端面の後端近傍に、この上端面の後端まで至り、かつ、下方に傾斜する閉塞板案内面68を形成することができる。なお、この閉塞板案内面68は、下扉40を閉める際に、上扉右側板30cに設けられた圧接板39の下端面の先端に当接するものとなっている。
なお、圧接板39の下端面の後端側には、下方向に突出した突片70が形成されている。この突片70は、閉塞板61の上端面が圧接板39の下端面に圧接した状態において、前記閉塞板案内面68の上方に生じる隙間に嵌まるものとなっている。
このような構成を有するスロットマシンでは、上扉30を閉止した後、下扉40を閉めていくと、上述の如く、閉塞板61の上端面に形成された閉塞板案内面68が、上扉右側板30cに設けられた圧接板39の下端面の先端に当接する。そして、さらに下扉40を閉める方向に押すと、圧接板39の下端面の先端によって閉塞板案内面68に対して下向きの力が加えられることとなり、閉塞板61が押し下げられながら、下扉40は移動していくこととなる。
【００６１】
そして、圧接板39の下端面の先端が閉塞板案内面68の上端に至るまで、閉塞板61が押し下げられた後、閉塞板61の上端面が圧接板39の下端面に圧接することとなる。そして、さらに下扉40を閉める方向に押すと、閉塞板61の上端面が圧接板39のの下端面に圧接した状態のまま、下扉40は前記方向に移動して、最終的に下扉40は閉止されることとなる。なお、下扉40が閉止されると、圧接板39の下端面の後端側に形成された突片70が、前記閉塞板案内面68の上方に生じる隙間に嵌まることとなる。
したがって、上述のようなスロットマシンでも、上扉30及び下扉40を閉止した際に、上扉右側板30cの下端面と下扉右側板40cの上端面との間に生じる隙間が、前記閉塞板61によって閉塞されるため、前述のようなゴト行為を防止することができる。
【００６２】
さらに、下扉40を閉めていくだけで、閉塞板61が自動的に押し下げられて、この閉塞板61の上端面が、圧接板39の下端面に圧接することとなるため、下扉40の閉止をスムーズに行うことができることとなり、操作性や操作感を低下させることなく、下扉40の開閉を行うことができることとなる。
（他の実施の形態）
上述の実施の形態に係るスロットマシンＳでは、下扉40の下扉右側板40cに閉塞部材60が備えられているが、この閉塞部材60は、上扉3の上扉右側板30cに備えることもできる。
具体的には、閉塞部材60の固定板63を、上扉右側板30cの内側下部に固定し、かつ、この固定板63の鉛直下方に位置するように閉塞板61を設けるとともに、固定板63の下端面と閉塞板61の上端面との間に、下方向に付勢されたバネ66を複数取り付ける。
【００６３】
これにより、平常時は、閉塞板61がバネ66によって押し下げられおり、この閉塞板61の下端面が上扉右側板30cの下端面よりも下方に位置するものとなっている。
また、下扉40の下扉右側板40cの上端部には、この下扉右側板40cの先端から後端まで至る圧接板39が設けられている。また、この圧接板39の後端部には、後方に向けて下方に傾斜する圧接板案内面38が形成されている。
なお、閉塞板61の下端面の後端側には、閉塞板61の下端面が圧接板39の上端面に圧接した状態において、前記圧接板案内面38の上方に生じる隙間に嵌まる突片70が形成されている。
【００６４】
このような構成を有するスロットマシンでは、上扉30を閉止した後、下扉40を閉めていくと、上述の如く、圧接板39に形成された圧接板案内面38が、閉塞板61の下端面の先端に当接する。そして、さらに下扉40を閉める方向に押すと、前記圧接板案内面38によって、前記閉塞板61の下端面に対して上向きの力が加えられることとなる。そして、前記圧接板案内面38によって閉塞板61が押し上げられながら、下扉40が移動していくこととなる。
そして、閉塞板61の下端面の先端が圧接板案内面38の上端に至るまで、閉塞板61が押し上げられた後、閉塞板61の下端面が圧接板39の上端面に圧接することとなる。そして、さらに下扉40を閉める方向に押すと、閉塞板61の下端面が圧接板39の上端面に圧接した状態のまま、下扉40は前記方向に移動して、最終的に下扉40は閉止されることとなる。
【００６５】
したがって、このような構成を有するスロットマシンも、上述の発明の実施の形態と同一の作用効果を奏することとなる。
また、本実施の形態に係るスロットマシンでは、圧接板39の後端部に圧接板案内面38が形成されているが、このような案内面は、圧接板39の後端部ではなく、閉塞板61の先端部に形成することもできる。
具体的には、閉塞板61の下端面の先端部から、後方向に向けて下方に傾斜する閉塞板案内面68を形成することができる。なお、この場合には、圧接板39の上端面の先端側に、閉塞板61の下端面が圧接板39の上端面に圧接した状態において、前記閉塞板案内面68の下方に生じる隙間に嵌まる突片70を形成するのが望ましい。
【００６６】
このような構成を有するスロットマシンも、上述の発明の実施の形態と同一の作用効果を奏することとなる。
【図面の簡単な説明】
【００６７】
【図１】本発明の実施の形態であって、スロットマシンを分解した状態を示す斜視図である。
【図２】本発明の実施の形態であって、スロットマシンの前扉の開放状態、及び、上扉並びに下扉を示す斜視図である。
【図３】本発明の実施の形態であって、閉塞部材を示す背面斜視図（ａ）及び正面斜視図（ｂ）である。
【図４】本発明の実施の形態であって、下扉の閉止前における、上扉右側板及び下扉右側板の側面図（ａ）、下扉の閉止中における、上扉右側板及び下扉右側板の側面図（ｂ）、及び、下扉を閉止した状態における、上扉右側板及び下扉右側板の側面図（ｃ）である。
【図５】本発明の実施の形態であって、下扉の閉止前における、閉塞部材を示す正面断面図（ａ）、及び、下扉を閉止した状態における、閉塞部材を示す正面断面図（ｂ）である。上扉ロック手段を示す側断面図である。
【図６】本発明の実施の形態の変形例を示すものであって、下扉の閉止前における、上扉右側板及び下扉右側板の側面図である。
【符号の説明】
【００６８】
Ｓ  スロットマシン
1  筐体                 2  分離体
3  前扉                 4  電源ユニット
5  ホッパーユニット     6  上扉ロック手段
7  下扉ロック手段       8  オーバーフロータンク
11  開口部              12  中板
13  開口上部            14  開口下部
15  底板                16  側板
16a 右側板              16b 左側板
17  天板                18  背板
19  下部係合部
20  リールユニット      21  支持体
23  回転リール          24  基板ユニット
25  上部係合部          26  上部突出片
27  下部突出片
30  上扉                30a 上扉正面板
30b 上扉左側板          30c 上扉右側板
30d 上扉天板            31  図柄表示窓
32  表示部              33  飾り部
35  スピーカ            36  上扉係合部
37  上扉係止片          38  圧接板側案内面
39  圧接板
40  下扉                40a 下扉正面板
40b 下扉左側板          40c 下扉右側板
40d 下扉天板            40e 下扉底板
41  操作部
42  メダル投入口        43  メダル受け皿
44  鍵穴                45  メダルセレクター
46  下扉係合部          47  下扉係止片
48  メダル払い出し口
60  閉塞部材            61  閉塞板
62  連結板              63  固定板
64  固定ネジ            65  移動案内孔
66  バネ                68  閉塞板側案内面
70  突片
【図１】
0004402028.tif 000002
【図２】
0004402028.tif 000003
【図３】
0004402028.tif 000004
【図４】
0004402028.tif 000005
【図５】
0004402028.tif 000006
【図６】
0004402028.tif 000007